(57)【要約】【課題】電源装置のトータルでの漏れ電流を削減する。【解決手段】回路２８は、商用電源８から供給される交流電圧を１２Ｖの直流電圧に変換する。ライブライン９とプロテクトアース１１との間にはＹコンデンサＣ５が接続されている。リレー５は、ＹコンデンサＣ５よりも上流に配置され、ニュートラルライン１０を接続したままライブライン９を遮断する。回路２９は、交流電圧を２４Ｖの直流電圧に変換する。ニュートラルライン１０とプロテクトアース１１との間にはＹコンデンサＣ９が接続されている。リレー６は、ＹコンデンサＣ９よりも上流に配置され、ライブライン９を接続したままニュートラルライン１０を遮断する。【選択図】図２
2013055790.tif 000002
【特許請求の範囲】
【請求項１】
交流電源から供給される交流電圧を第１の電圧の直流電圧に変換する第１変換部と、
前記交流電源と前記第１変換部とを接続する第１ライブラインとプロテクトアースとの間に接続された第１のＹコンデンサと、
前記交流電源と前記第１変換部とを接続する第１ニュートラルラインと前記プロテクトアースとの間に接続された第２のＹコンデンサと、
前記第１のＹコンデンサよりも上流に配置され、前記第１ライブラインと前記第１ニュートラルラインとのうち一方を接続したまま他方を遮断する第１遮断部と、
前記交流電源から供給される交流を前記第１の電圧よりも高い第２の電圧の直流電圧に変換する第２変換部と、
前記第１ライブラインから分岐したライブラインであって前記交流電源と前記第２変換部とを接続する第２ライブラインと、前記プロテクトアースとの間に接続された第３のＹコンデンサと、
前記第１ニュートラルラインから分岐したニュートラルラインであって前記交流電源と前記第２変換部とを接続する第２ニュートラルラインと、前記プロテクトアースとの間に接続された第４のＹコンデンサと、
前記第４のＹコンデンサよりも上流に配置され、前記第２ライブラインと前記第２ニュートラルラインとのうち一方を接続したまま他方を遮断する第２遮断部と
を備えたことを特徴とする電源装置。
【請求項２】
前記第１遮断部および前記第２遮断部は、ライブラインとニュートラルラインのうちそれぞれ異なるラインを遮断することを特徴とする請求項１に記載の電源装置。
【請求項３】
前記第１遮断部は、前記第１ライブラインを遮断する遮断部であり、
前記第２遮断部は、前記第２ニュートラルラインを遮断する遮断部であり、
前記第２ライブラインは、前記第１遮断部よりも下流において前記第１ライブラインから分岐していることを特徴とする請求項２に記載の電源装置。
【請求項４】
前記第１ライブラインと前記第２ライブラインとが分岐する第１分岐部よりも上流に設けられ、前記交流電源からのライブラインを遮断する第１スイッチと、
前記第１ニュートラルラインと前記第２ニュートラルラインとが分岐する第２分岐部よりも上流に設けられ、前記交流電源からのニュートラルラインを遮断するスイッチであって、前記第１スイッチと連動して動作する第２スイッチと
をさらに備えたことを特徴とする請求項１ないし３のいずれか１項に記載の電源装置。
【請求項５】
前記第１ライブラインと前記第２ライブラインとが分岐する分岐部よりも上流に設けられ、前記交流電源からのライブラインを遮断するスイッチをさらに備え、
前記第１遮断部および前記第２遮断部は、それぞれニュートラルラインを遮断する単一の遮断部であり、前記第１ニュートラルラインと前記第２ニュートラルラインとの分岐部よりも上流に配置されていることを特徴とする請求項１に記載の電源装置。
【請求項６】
前記第１ニュートラルラインと前記第２ニュートラルラインとが分岐する分岐部よりも上流に設けられ、前記交流電源からのニュートラルラインを遮断するスイッチをさらに備え、
前記第１遮断部および前記第２遮断部は、それぞれライブラインを遮断する単一の遮断部であり、前記第１ライブラインと前記第２ライブラインとの分岐部よりも上流に配置されていることを特徴とする請求項１に記載の電源装置。
【請求項７】
前記第１遮断部よりも下流に配置され、前記第１ライブラインと前記第１ニュートラルラインとの間に接続された第１のＸコンデンサと、
前記第２遮断部よりも下流に配置され、前記第２ライブラインと前記第２ニュートラルラインとの間に接続された第２のＸコンデンサと
をさらに備えることを特徴とする請求項１ないし６のいずれか１項に記載の電源装置。
【請求項８】
請求項１ないし７のいずれか１項に記載の電源装置と、
前記電源装置から電力を供給されて動作する画像形成部と
を備えたことを特徴とする画像形成装置。
【発明の詳細な説明】
【技術分野】
【０００１】
入力された交流（ＡＣ）電圧からそれぞれ電圧の異なる複数の直流（ＤＣ）電圧を生成する電源装置に関する。
【背景技術】
【０００２】
商用電源から供給される交流を直流に変換して供給する電源装置では漏れ電流を削減することで省電力化を図っている。特許文献１によれば、商用電源からのライブライン(非接地側)とニュートラルライン(接地側)とのうち遮断されるラインからの漏れ電流を削減するために、ノイズを減衰するＹコンデンサの後にライン遮断部を設けることが提案されている。特許文献２によれれば、特許文献１と同様の課題を解決するために、ノイズを減衰するＹコンデンサとプロテクトアースとの間をリレーで切断することが提案されている。
【先行技術文献】
【特許文献】
【０００３】
【特許文献１】特開平９−７０１６９号公報
【特許文献２】特開２００８−３０１５８５号公報
【発明の概要】
【発明が解決しようとする課題】
【０００４】
しかし、特許文献１の発明では、Ｙコンデンサをライン遮断部より上流に配置するため、ノイズ源からＹコンデンサが遠ざかってしまい、ノイズの除去性能が低下してしまう。特許文献２の発明では、Ｙコンデンサをアースから遮断するためのリレーが専用に必要であり、コストアップになる。
【０００５】
そこで、本発明は、電源装置のトータルでの漏れ電流を削減することを目的とする。とりわけ、本発明では、ノイズ源の近くにＹコンデンサを配置可能とし、かつ、Ｙコンデンサをアースから遮断するためのリレーを必須とすることなく、漏れ電流を効果的に削減することを目的とする。
【課題を解決するための手段】
【０００６】
本発明の電源装置は、たとえば、
交流電源から供給される交流電圧を第１の電圧の直流電圧に変換する第１変換部と、
前記交流電源と前記第１変換部とを接続する第１ライブラインとプロテクトアースとの間に接続された第１のＹコンデンサと、
前記交流電源と前記第１変換部とを接続する第１ニュートラルラインと前記プロテクトアースとの間に接続された第２のＹコンデンサと、
前記第１のＹコンデンサよりも上流に配置され、前記第１ライブラインと前記第１ニュートラルラインとのうち一方を接続したまま他方を遮断する第１遮断部と、
前記交流電源から供給される交流を前記第１の電圧よりも高い第２の電圧の直流電圧に変換する第２変換部と、
前記第１ライブラインから分岐したライブラインであって前記交流電源と前記第２変換部とを接続する第２ライブラインと、前記プロテクトアースとの間に接続された第３のＹコンデンサと、
前記第１ニュートラルラインから分岐したニュートラルラインであって前記交流電源と前記第２変換部とを接続する第２ニュートラルラインと、前記プロテクトアースとの間に接続された第４のＹコンデンサと、
前記第４のＹコンデンサよりも上流に配置され、前記第２ライブラインと前記第２ニュートラルラインとのうち一方を接続したまま他方を遮断する第２遮断部と
を備えたことを特徴とする。
【発明の効果】
【０００７】
本発明によれば、第１遮断部は第１のＹコンデンサよりも上流に配置され、第２遮断部も第４のＹコンデンサよりも上流に配置されている。つまり、これらのＹコンデンサは遮断部の下流に配置されている。よって、Ｙコンデンサをノイズ源の近くに配置できるため、本発明は、ノイズの除去性能を改善できる。また、本発明は、コモンのコイルの位置とは無関係にＹコンデンサに適用できる。さらに、本発明では、Ｙコンデンサをアースから遮断するためのリレーは必須でないため、コスト的にも有利である。さらに、本発明では、複数の変換部間で漏れ電流の発生位置を分散させることができるため、電源装置のトータルでの漏れ電流を削減できる。
【図面の簡単な説明】
【０００８】
【図１】実施例１の画像形成装置を示す図。
【図２】実施例１の電源装置を示す図。
【図３】実施例１の制御部を示す図。
【図４】実施例１の制御方法を示すフローチャート。
【図５】実施例２の電源装置を示す図。
【図６】実施例３の電源装置を示す図。
【図７】実施例１の電源装置を示す図。
【図８】実施例１の電源装置の一部の回路を示す図。
【図９】実施例１の電源装置の一部の回路を示す図。
【図１０】実施例１の電源装置を示す図。
【図１１】実施例１の電源装置を示す図。
【発明を実施するための形態】
【０００９】
＜実施例１＞
商用原電などの交流電源はライブラインとニュートラルラインとを使用して交流を供給する。さらに、交流電源には、人が触っても安全とされるゼロ電位に接続されるプロテクトアースが設けられることもある。交流電源から電力を供給される装置の筐体のうち露出した金属はプロテクトアースに接続されることが一般的である。ライブラインからプロテクトアースに漏れる電流またはニュートラルラインからプロテクトアースに漏れる電流が大きいと、露出した金属に触ったユーザーが漏れ電流を感じることがある。よって、漏れ電流は少なければ少ないほどよい。
【００１０】
図７（Ａ）によれば、商用電源８からのライブライン９とプロテクトアース１１の間にはＹコンデンサＣ２が設けられ、ニュートラルライン１０とプロテクトアース１１の間にはＹコンデンサＣ３が設けられている。ＹコンデンサＣ２、Ｃ３は、コモンモードのノイズを減衰することができるが、一方で漏れ電流の原因となる。またノールマルモードのノイズを減衰するためにライブラインとノーマルラインの間にＸコンデンサＣ１を挿入してもよい。一般的にＹコンデンサＣ２、Ｃ３の容量よりＸコンデンサＣ１の容量の方が１０倍以上大きい。メインスイッチ１は、ライブライン９のみを切断する。メインスイッチ１は、ニュートラルライン１０のみを遮断してもよい。
【００１１】
より分かりやすくするために、以下に示す具体的な数値を用いる。
【００１２】
Ｃ１＝２．２ｕＦ
Ｃ２＝Ｃ３＝２２００ｐＦ
この例によれば、ＸコンデンサＣ１の容量は、ＹコンデンサＣ２、Ｃ３の容量の１０００倍である。
【００１３】
図７（Ｂ）を用いて漏れ電流を測定する方法を説明する。試験切り替えスイッチ７８は、ライブライン９またはニュートラルライン１０の一方を選択するスイッチである。これにより、ライブライン９またはニュートラルライン１０が１ｋΩの抵抗Ｒ１を介してプロテクトアース１１と接続される。抵抗Ｒ１に流れる電流が漏れ電流である。
【００１４】
商用電源８から供給される交流の周波数は５０Ｈｚである。これに対して、抵抗Ｒ１の１ｋΩという抵抗値は、ＹコンデンサＣ２、Ｃ３のインピーダンスに比べると無視できるほど小さい。抵抗Ｒ１の抵抗値を０Ωとみなしてもよい。ＹコンデンサＣ２、Ｃ３のインピーダンスの計算結果を以下に示す。
【００１５】
１／（２πｆ・Ｃ２）＝１／（２πｆ・Ｃ３）  ≒  １．４ＭΩ
ここで、ｆは、商用電源８から供給される交流の周波数であり、５０Ｈｚである。
【００１６】
なお、交流を直流に変換する回路２９では、プロテクトアース１１とライブライン９との間が絶縁されており、プロテクトアース１１とニュートラルライン１０との間も絶縁されている。よって、漏れ電流を考える場合、回路２９の存在を無視できる。
【００１７】
図８（Ａ）は、図７（Ｂ）において試験切り替えスイッチ７８がライブライン９と抵抗Ｒ１とを接続しており、かつ、メインスイッチ１がオンのときの、回路２９と試験切り替えスイッチ７８を省略した回路図である。図８（Ａ）の太線が示すように、商用電源８を介さない回路が形成されるため、ＹコンデンサＣ２を通過する漏れ電流（すなわち、抵抗Ｒ１を通過する電流）は発生せず、ＹコンデンサＣ３を通過する漏れ電流だけが発生する。
【００１８】
図８（Ｂ）は、図７（Ｂ）において試験切り替えスイッチ７８がライブライン９と抵抗Ｒ１とを接続しており、かつ、メインスイッチ１がオフのときの、回路２９と試験切り替えスイッチ７８を省略した回路図である。図８（Ｂ）の太線が示すように、商用電源８を介す回路が形成されるため、ＹコンデンサＣ２を通過する漏れ電流（抵抗Ｒ１を通過する電流）が発生する。そして、ＸコンデンサＣ１の容量はＹコンデンサＣ２の容量より大きいので、ＸコンデンサＣ１はショートしていると見なしてもよい。図８（Ｂ）においてＹコンデンサＣ３を通過する電流は図８（Ａ）においてＹコンデンサＣ３を通過する電流と同等である。このように、ＹコンデンサＣ２、Ｃ３が並列に商用電源８に接続されているため、図８（Ａ）の回路よりも図８（Ｂ）の回路の方が約２倍の漏れ電流が発生する。
【００１９】
図９（Ａ）は、図７（Ｂ）において試験切り替えスイッチ７８がニュートラルライン１０と抵抗Ｒ１とを接続しており、かつ、メインスイッチ１がオンのときの、回路２９と試験切り替えスイッチ７８を省略した回路図である。図９（Ａ）の太線が示すように商用電源８を介さない回路が形成されるので、ＹコンデンサＣ３を通過する漏れ電流（抵抗Ｒ１を通過する電流）は発生せず、ＹコンデンサＣ２を通過する漏れ電流だけが発生する。図９（Ａ）における漏れ電流の電流値は、図８（Ａ）における漏れ電流の電流値と同一である。これは、ＹコンデンサＣ３の容量とＹコンデンサＣ２の容量とが同一だからである。
【００２０】
図９（Ｂ）は、図７（Ｂ）において試験切り替えスイッチ７８がニュートラルライン１０と抵抗Ｒ１とを接続しており、かつ、メインスイッチ１がオフのときの、回路２９と試験切り替えスイッチ７８を省略した回路図である。図９（Ｂ）が示すように商用電源８のライブライン９はどの素子とも接続されないので、抵抗Ｒ１に漏れ電流が流れない。つまり漏れ電流はゼロとなる。
【００２１】
メインスイッチ１をライブライン９にだけ設けた説明をしたが、ニュートラルライン１０にだけ設けた回路でもライブライン９と、ニュートラルライン１０が入れ替わるだけで同じ話である。よって、これについての詳細な説明と図は省略する。メインスイッチ１は、省エネを目的にしたリレーであってもよい。
【００２２】
このようにライブライン９とニュートラルライン１０のうち一方のラインだけを遮断すると、これらの２つのラインのうち遮断されたラインとプロテクトアース１１とを接続する回路に発生する漏れ電流が、２つのラインを通電しているときに発生する漏れ電流の２倍になる。
【００２３】
それぞれ異なる電圧の直流を生成する複数の電源回路であって、それぞれＹコンデンサＣ２、Ｃ３とＸコンデンサＣ１を有する電源回路が並列に接続された電源装置では、漏れ電流は和になる。よって、並列に接続される直流電源回路の数に比例して漏れ電流が増加する。
【００２４】
図１０は、複数の直流電源回路の全てに対してリレー１０９、１１０を使って商用電源８からの２つのラインのうちの片方のラインのみを遮断する電源装置を示している。この電源装置では、リレー１０９、１１０がオフしたときに、漏れ電流が増加してしまう。もちろんメインスイッチ１をオフにすれば商用電源８からの両方のラインが遮断されるため、漏れ電流は発生しない。
【００２５】
図１１は、複数の直流電源回路の全てに対して商用電源の両方のラインをメインスイッチ１やリレー１１２、１１３、１１４、１１５でオフする電源装置を示している。この電源装置では、メインスイッチ１やリレー１１２、１１３、１１４、１１５をオフしたとしても、漏れ電流が増加するようなことはない。しかし、メインスイッチ１やリレー１１２、１１３、１１４、１１５を設けることは省エネと引き替えにコストアップを招いてしまう。
【００２６】
本発明を適用可能な画像形成装置の一例について説明する。図１は画像形成装置のブロック図である。制御部１２は、低い電圧で動作する負荷群１３と、相対的に高い電圧で動作する負荷群１４とを制御する。電源装置１００は、制御部１２によって制御され、入力された交流電圧（例：ＡＣ１００Ｖ）を変換して、複数の直流電圧（例：ＤＣ３．３Ｖ、ＤＣ１２Ｖ、ＤＣ２４Ｖ）を供給するＡＣ−ＤＣ変換装置である。
【００２７】
負荷群１３には、原稿の画像を読み取る読取センサ１５と、プリント用の高電圧を生成する高圧電源１６と、ファクシミリ通信を実行する通信部１７を備えている。負荷群１４には、原稿の画像を搬送する読取モータ１８と、感光体に潜像を形成するレーザースキャナ１９と、用紙を搬送する複数のローラーを回転させるプリントモータ２０と、カセットから用紙を搬送路へ給紙する給紙ソレノイド２１が含まれている。定着ヒーター２２は、交流を供給されて、定着ローラーを過熱し、トナー画像を用紙に定着させる。このように負荷群１３、１４は、電源装置１００から電力を供給されて動作する画像形成部の一例である。
【００２８】
図２を用いて本発明の電源装置について説明する。商用電源８はライブライン９とニュートラルライン１０との間に周波数が５０Ｈｚで電圧が１００Ｖの交流電圧を出力する。商用電源８は、一般に、１００Ｖコンセントと呼ばれている電源である。メインスイッチ１は、ライブライン９とニュートラルライン１０の両方を同時に接続または遮断する遮断手段である。ライブライン９は、第１分岐部４１において、第１ライブラインと第２ライブラインとに分岐している。同様に、ニュートラルライン１０は、第２分岐部４２において、第１ニュートラルラインと第２ニュートラルラインとに分岐している。よって、メインスイッチ１は、第１分岐部４１よりも上流に設けられ、ライブライン９を遮断する第１スイッチと、第２分岐部よりも上流に設けられ、ニュートラルライン１０を遮断するスイッチであって、第１スイッチと連動して動作する第２スイッチとを含んでいる。
【００２９】
３．３Ｖ電源２、１２Ｖ電源３、２４Ｖ電源４は、交流電圧を入力してそれぞれ異なる直流電圧を出力する電源回路である。ここでは、具体性を持たせるために、３．３Ｖ電源２は、３．３Ｖの直流電圧を出力するＤＣ電源であり、１２Ｖ電源３は、１２Ｖの直流電圧を出力するＤＣ電源であり、２４Ｖ電源４は、２４Ｖの直流電圧を出力するＤＣ電源である。
【００３０】
３．３Ｖ電源２は、メインスイッチ１がオンならば交流を給電されつづける電源である。リレー５はライブライン９と１２Ｖ電源３との間であって、ＸコンデンサＣ４やＹコンデンサＣ５、Ｃ６よりも上流に配置された遮断手段であり、ライブライン９のみを遮断する。つまり、リレー５は、ライブライン９を遮断しても、ニュートラルライン１０については遮断しない。このリレー５は、省エネ目的に部分的に電力の供給を遮断するために使用される。とりわけ、リレー５は、制御部１２が出力する制御信号Ｓｉｇ１に基づいてライブライン９を遮断／接続する。図２によれば、リレー５は、ライブライン９に挿入されているが、ニュートラルライン１０に挿入されてもよい。このように、リレー５は、第１のＹコンデンサＣ５よりも上流に配置され、第１ライブラインと第１ニュートラルラインとのうち一方を接続したまま他方を遮断する第１遮断部として機能する。
【００３１】
リレー６は、ＸコンデンサＣ７やＹコンデンサＣ８、Ｃ９よりも上流に配置された遮断手段であり、ニュートラルライン１０のみを遮断する。つまり、リレー６は、ニュートラルライン１０を遮断しても、ライブライン９については遮断しない。リレー６は、制御部１２から供給される制御信号Ｓｉｇ２に基づいて遮断／接続する。プロテクトアース１１は、電源装置や画像形成装置の金属部と接続された接地端子である。図３によれば、リレー６は、ニュートラルライン１０に挿入されているが、ライブライン９に挿入されてもよい。このように、リレー６は、第４のＹコンデンサＣ９よりも上流に配置され、第２ライブラインと第２ニュートラルラインとのうち一方を接続したまま他方を遮断する第２遮断部として機能する。なお、リレー５がライブライン９に挿入されているときは、リレー６がニュートラルライン１０に挿入される。反対に、リレー５がニュートラルライン１０に挿入されているときは、リレー６がライブライン９に挿入される。つまり、リレー５およびリレー６は、ライブライン９とニュートラルライン１０のうちそれぞれ異なるラインを遮断する。
【００３２】
３．３Ｖ電源２には、ノイズを低減するＸコンデンサＣ１と、ＹコンデンサＣ２、Ｃ３が設けられている。ＸコンデンサＣ１は、ライブライン９とニュートラルライン１０との間に挿入されている。つまり、ＸコンデンサＣ１は商用電源８に対して並列に接続されている。ＹコンデンサＣ２の一端はライブライン９と接続され、他端はプロテクトアース１１と接続されている。ＹコンデンサＣ３の一端はプロテクトアース１１と接続され、他端はニュートラルライン１０と接続されている。
【００３３】
１２Ｖ電源３には、ノイズを低減するＸコンデンサＣ４と、ＹコンデンサＣ５、Ｃ６が設けられている。ＸコンデンサＣ４は、ライブライン９とニュートラルライン１０との間に挿入されている。つまり、ＸコンデンサＣ４は商用電源８に対して並列に接続されている。ＹコンデンサＣ５の一端はライブライン９と接続され、他端はプロテクトアース１１と接続されている。ＹコンデンサＣ６の一端はプロテクトアース１１と接続され、他端はニュートラルライン１０と接続されている。このように、ＸコンデンサＣ４は、リレー５よりも下流に配置され、第１ライブラインと第１ニュートラルラインとの間に接続された第１のＸコンデンサの一例である。ＹコンデンサＣ５は、商用電源８と第１変換部とを接続する第１ライブラインとプロテクトアース１１との間に接続された第１のＹコンデンサである。ＹコンデンサＣ６は、商用電源８と第１変換部とを接続する第１ニュートラルラインとプロテクトアース１１との間に接続された第２のＹコンデンサである。
【００３４】
２４Ｖ電源４には、ノイズを低減するＸコンデンサＣ７と、ＹコンデンサＣ８、Ｃ９が設けられている。ＸコンデンサＣ７は、ライブライン９とニュートラルライン１０との間に挿入されている。つまり、ＸコンデンサＣ７は商用電源８に対して並列に接続されている。ＹコンデンサＣ８の一端はライブライン９と接続され、他端はプロテクトアース１１と接続されている。ＹコンデンサＣ９の一端はプロテクトアース１１と接続され、他端はニュートラルライン１０と接続されている。このように、ＸコンデンサＣ７は、リレー６よりも下流に配置され、第２ライブラインと第２ニュートラルラインとの間に接続された第２のＸコンデンサの一例である。ＹコンデンサＣ８は、第１ライブラインから分岐したライブラインであって商用電源８と第２変換部とを接続する第２ライブラインと、プロテクトアース１１との間に接続された第３のＹコンデンサである。ＹコンデンサＣ９は、第１ニュートラルラインから分岐したニュートラルラインであって商用電源８と第２変換部とを接続する第２ニュートラルラインと、プロテクトアース１１との間に接続された第４のＹコンデンサである。
【００３５】
ＸコンデンサＣ１、Ｃ４、Ｃ７の各容量は２．２μＦである。ＹコンデンサＣ２、Ｃ３、Ｃ５、Ｃ６、Ｃ７、Ｃ８の各容量は２２００ｐＦである。
【００３６】
回路２７は、１００Ｖの交流電圧を３．３Ｖの直流電圧に変換して出力する変換回路である。回路２８は、交流電源から供給される交流電圧を第１の電圧の直流電圧に変換する第１変換部の一例である。具体的に、回路２８は、１００Ｖの交流電圧を１２Ｖの直流電圧に変換して出力する変換回路である。回路２９は、交流電源から供給される交流を第１の電圧よりも高い第２の電圧の直流電圧に変換する第２変換部である。具体的に、回路２９は、１００Ｖの交流電圧を２４Ｖの直流電圧に変換して出力する変換回路である。回路２７の中では、プロテクトアース１１とライブライン９の間およびプロテクトアース１１とニュートラルライン１０の間が絶縁されている。よって、漏れ電流を考える際は回路２７の存在は無視できる。絶縁に関しては、１２Ｖ電源３の回路２８と２４Ｖ電源４の回路２９も同様である。
【００３７】
図３を用いて、制御信号Ｓｉｇ１、Ｓｉｇ２の発信源と、３．３Ｖ電源のＤＣ３．３Ｖ出力、１２Ｖ電源のＤＣ１２Ｖ出力および２４Ｖ電源のＤＣ２４Ｖ出力の各接続先について説明する。
【００３８】
制御部１２は、３．３Ｖ電源２から出力されるＤＣ３．３Ｖを電源として動作する。制御部１２は、トランジスタ３１の駆動端子に駆動信号を出力することで、トランジスタ３１は電流流出端子から制御信号Ｓｉｇ１をリレー５に出力する。トランジスタ３１の電流流入端子にはＤＣ３．３Ｖが印加されている。制御部１２は、トランジスタ３２の駆動端子に駆動信号を出力することで、トランジスタ３２は電流流出端子から制御信号Ｓｉｇ２をリレー６に出力する。トランジスタ３２の電流流入端子にはＤＣ３．３Ｖが印加されている。
【００３９】
負荷群１３は、３．３Ｖ電源２から出力されるＤＣ３．３Ｖと１２Ｖ電源３から出力されるＤＣ１２Ｖを電源として動作する。負荷群１４は、３．３Ｖ電源２から出力されるＤＣ３．３Ｖと２４Ｖ電源４から出力されるＤＣ２４Ｖを電源として動作する。
【００４０】
制御部１２は、リレー５とリレー６の両方をオフしたり、リレー６だけをオフしたりするなどして画像形成装置の消費電力を節約する。リレー５とリレー６がオフだと、たとえば、１Ｗ以下に消費電力が下がるが、コピー動作やプリント動作、読取動作に必要な負荷に必要な電力が供給されない。また、負荷群１３の通信部１７にさえ電力が供給されないため、ファクシミリ通信もプリントデータの受信もできなくなる。一方、リレー５がオンでリレー６だけがオフであれば消費電力は、たとえば、３Ｗ程度となる。この場合、負荷群１３の中の通信部１７には電力が供給されるため、プリントデータの受信やファクシミリ通信が可能となる。
【００４１】
再度、図２を参照して漏れ電流を説明する。すでに説明したように、リレー５をオフにしたときの１２Ｖ電源３に起因する漏れ電流は、ライブライン９とニュートラルライン１０のどちらをプロテクトアース１１に接続するかに依存して異なる。ライブライン９をプロテクトアース１１に接続したときの漏れ電流は、通常の２倍となる。一方で、ニュートラルライン１０をプロテクトアース１１に接続したときの漏れ電流はゼロになる。
【００４２】
リレー６をオフにしたときの２４Ｖ電源４に起因する漏れ電流も、ライブライン９とニュートラルライン１０のどちらをプロテクトアース１１に接続するかに依存して異なる。ライブライン９をプロテクトアース１１に接続したときの２４Ｖ電源４に起因する漏れ電流はゼロとなる。一方で、ニュートラルライン１０をプロテクトアース１１に接続したときの漏れ電流は、通常の２倍となる。
【００４３】
このように、１２Ｖ電源３と２４Ｖ電源４とで、リレー５、６をオフにしたときの漏れ電流が通常の２倍になる。しかし、１２Ｖ電源３と２４Ｖ電源４とではプロテクトアース１１と接続するラインが異なっているため、漏れ電流の発生箇所が１２Ｖ電源３と２４Ｖ電源４との一方に集中しない。つまり、電源装置の全体でみれば、漏れ電流の最大値を小さく抑えられる利点がある。
【００４４】
図４は、リレー５、６のオン／オフの制御処理を示すフローチャートである。当該フローチャートにかかる処理は、制御部１２が実行する。
【００４５】
Ｓ１で、制御部１２は、リレー５とリレー６を両方オンにするための駆動信号を出力する。この駆動信号によって、トランジスタ３１がオンに切り替わり、リレー５に制御信号Ｓｉｇ１が出力され、リレー５がオンに切り替わる。同様に、駆動信号によって、トランジスタ３２がオンに切り替わり、リレー６に制御信号Ｓｉｇ２が出力され、リレー６がオンに切り替わる。このときに、制御部１２は、タイマーをスタートさせる。
【００４６】
Ｓ２で、制御部１２は、制御モードが、電力の節約を重視する省エネモードに設定されているか、電力の節約を重視しない通常モードに設定されているかを判定する。制御モードを示すフラグは予め制御部１２の内部に設けられている記憶部に記憶されているものとする。省エネモードであれば、Ｓ３に進む。
【００４７】
Ｓ３で、制御部１２は、タイマーにより計時された時間が所定時間ｔ１（例：１５分）を経過したかどうかを判定する。所定時間ｔ１が経過していなければ、Ｓ４に進む。
【００４８】
Ｓ４で、制御部１２は、不図示の操作部からプリント、コピーまたは読取の開始要求が入力されているかどうかを判定する。開始要求が入力されていなければ、Ｓ３に戻る。このように、開始要求が入力されていなければ、制御部１２はＳ３とＳ４の処理を繰り返すので、リレー５とリレー６はオンの状態に維持される。一方、Ｓ４で開始要求が入力されたことを感知すると、Ｓ５に進む。Ｓ５で、制御部１２は、タイマーをクリアし、Ｓ３に戻る。さらに、Ｓ３で、所定時間ｔ１が経過したことを感知すると、Ｓ６に進む。
【００４９】
Ｓ６で、制御部１２は、タイマーをクリアする。Ｓ７で、制御部１２は、リレー５をオンにしたまま、リレー６をオフに切り換える。つまり、制御部１２は、トランジスタ３１へ駆動信号を供給し続け、トランジスタ３２への駆動信号の供給を停止する。
【００５０】
Ｓ８で、制御部１２は、タイマーにより計時された時間が所定時間ｔ２（例：１時間）を経過したかどうかを判定する。所定時間ｔ２が経過していなければ、Ｓ９に進む。Ｓ９で、制御部１２は、操作部からのファクシミリの通信要求が入力されているか、および、外部のファクシミリ装置からファクシミリの通信要求が通信部１７に届いているかどうかをそれぞれ判定する。通信部１７に関連した通信要求が入力されていなければ、Ｓ１１に進む。Ｓ１１で、制御部１２は、プリント、コピーまたは読取の開始要求が入力されているかどうかを判定する。開始要求が入力されていなければ、Ｓ８に戻る。このように、開始要求が入力されていなければ、制御部１２はＳ８、Ｓ９およびＳ１１の処理を繰り返すので、リレー５がオンに維持され、リレー６がオフに維持される。一方、Ｓ９で通信要求が入力されたことを感知すると、Ｓ１０に進む。Ｓ１０で、制御部１２は、タイマーをクリアし、Ｓ８に戻る。また、Ｓ１１で開始要求が感知されると、Ｓ１２に進む。Ｓ１２で、制御部１２は、タイマーをクリアする。Ｓ１３で、制御部１２は、リレー５とリレー６の両方をオンに切り替えるための駆動信号を出力し、Ｓ３に戻る。ところで、Ｓ８において所定時間ｔ２の経過が感知されると、Ｓ１４に進む。
【００５１】
Ｓ１４で、制御部１２は、リレー５、６のそれぞれの駆動信号の出力を停止し、リレー５とリレー６の両方をオフに切り替える。Ｓ１５で、制御部１２は、操作部からのファクシミリの通信要求が入力されているか、および、外部のファクシミリ装置からファクシミリの通信要求が通信部１７に届いているかどうかをそれぞれ判定する。通信部１７に関連した通信要求が入力されていなければ、Ｓ１６に進む。Ｓ１６で、制御部１２は、プリント、コピーまたは読取の開始要求が入力されているかどうかを判定する。開始要求が入力されていなければ、Ｓ１５に戻る。このように、開始要求が入力されていなければ、制御部１２はＳ１５およびＳ１６の処理を繰り返すので、リレー５およびリレー６がオフに維持される。一方、Ｓ１６で開始要求が入力されたことを感知すると、Ｓ１２に進む。Ｓ１２以降の説明はすでに説明したとおりである。一方、制御部１２は、Ｓ１５で通信要求を感知すると、Ｓ１７に進む。Ｓ１７で、制御部１２は、タイマーをクリアする。Ｓ１８で、リレー５をオンに切り替え、リレー６をオフに維持する。つまり、制御部１２は、トランジスタ３１へ駆動信号を供給し、トランジスタ３２への駆動信号の供給停止を継続する。その後、Ｓ８に戻る。
【００５２】
ところで、Ｓ２において、省エネモードが設定されていなければ、Ｓ１９に進む。Ｓ１９で、制御部１２は、タイマーにより計時された時間が所定時間ｔ２（例：１時間）を経過したかどうかを判定する。所定時間ｔ２が経過していなければ、Ｓ２０に進む。Ｓ２０で、制御部１２は、プリント、コピーまたは読取の開始要求が入力されているかどうかを判定する。開始要求が入力されていなければ、Ｓ１９に戻る。このように、開始要求が入力されていなければ、制御部１２はＳ１９とＳ２０の処理を繰り返すので、リレー５とリレー６はオンに維持される。一方、Ｓ２０で開始要求が入力されたことを感知すると、Ｓ２１に進む。Ｓ２１で、制御部１２は、タイマーをクリアし、Ｓ１９に戻る。
【００５３】
ところで、Ｓ１９で、所定時間ｔ２が経過したと判定されると、Ｓ２２に進む。Ｓ２２で、制御部１２は、リレー５をオンにしたまま、リレー６をオフに切り換える。つまり、制御部１２は、トランジスタ３１へ駆動信号を供給し続け、トランジスタ３２への駆動信号の供給を停止する。Ｓ２３で、制御部１２は、プリント、コピーまたは読取の開始要求が入力されているかどうかを判定する。開始要求が入力されていなければ、Ｓ２３に戻る。このように、開始要求が入力されていなければ、制御部１２はＳ２２の処理を繰り返すので、リレー５はオンに維持され、リレー６はオフに維持される。一方、Ｓ２３で開始要求が入力されたことを感知すると、Ｓ２４に進む。Ｓ２４で、制御部１２は、タイマーをクリアする。Ｓ２５で、制御部１２は、リレー５とリレー６の両方をオンに切り替えるための駆動信号を出力し、Ｓ１９に戻る。
【００５４】
このように、制御モードが省エネモードに設定されており、かつ、所定時間ｔ１にわたって開始要求が無い場合、制御部１２は、リレー６をオフに切り換え２４Ｖ電源４を停止させる。さらに所定時間ｔ２にわたって通信要求も開始要求も無い場合、制御部１２は、リレー５もリレー６もオフに切り換え、２４Ｖ電源４だけでなく１２Ｖ電源３までも停止させる。一方で、制御モードが通常モードに設定されており、かつ、所定時間ｔ２にわたって開始要求が無い場合、制御部１２は、リレー６をオフに切り換えて２４Ｖ電源４を停止させる。ただし、制御部１２は、リレー５をいつまでたってもオフに切り換えないので、１２Ｖ電源３は停止しない。さらに、制御部１２は、２４Ｖ電源４および１２Ｖ電源３のうち必要な電源をイベント（開始要求や通信要求）に応じて動作させている。
【００５５】
以上説明したように、実施例１によれば、リレー５はＹコンデンサＣ５よりも上流に配置され、リレー６もＹコンデンサＣ９よりも上流に配置されている。つまり、これらのＹコンデンサは遮断部の下流に配置されている。よって、ＹコンデンサＣ５、Ｃ９をノイズ源である回路２８、２９の近くに配置できるため、実施例１は、ノイズの除去性能を改善できる。また、実施例１は、コモンのコイルの位置とは無関係にＹコンデンサに適用できる。さらに、実施例１では、Ｙコンデンサをアースから遮断するためのリレーは必須でない。よって、実施例１はコスト的にも有利である。さらに、実施例１では、複数の変換部間で漏れ電流の発生位置を分散させることができるため、電源装置１００のトータルでの漏れ電流を削減できる。
【００５６】
＜実施例２＞
図５は、実施例２にかかる電源装置を示している。図５の電源装置を図２に示した実施例１の電源装置と比較すると、２４Ｖ電源４へ延びるライブラインの分岐部が、リレー５と１２Ｖ電源３の間に存在する。１２Ｖ電源３へ延びるライブラインのうちリレー５よりも下流において２４Ｖ電源４へ延びるライブラインが分岐している。これによって、リレー５とリレー６の両方がオフしたときは、２４Ｖ電源４の漏れ電流がゼロになる利点がある。
【００５７】
このように実施例２では、リレー５とリレー６の両方がオフしたときは、２４Ｖ電源４の漏れ電流がゼロになるため、実施例１よりもさらに漏れ電流を削減できる。実施例２のその他の効果は実施例１と共通である。
【００５８】
＜実施例３＞
図６は、実施例１の変形例を示している。メインスイッチ１は、ライブライン９のみを遮断し、ニュートラルライン１０を遮断しないスイッチである。つまり、第１ライブラインと第２ライブラインとが分岐する第１分岐部４１よりも上流に設けられ、商用電源８からのライブライン９を遮断するスイッチとして機能する。図６が示すように、上述したリレー５、６は単一のリレー６０に統合されている。つまり、１２Ｖ電源３と２４Ｖ電源４はそれぞれ同一のリレー６でニュートラルライン１０から遮断される。このように、リレー６０は、ニュートラルライン１０を遮断する単一の遮断部であり、第１ニュートラルラインと第２ニュートラルラインとの第２分岐部４２よりも上流に配置されたリレーである。
【００５９】
メインスイッチ１がオフに切り換えられると、３．３Ｖ電源２におけるライブライン９側の漏れ電流が通常の２倍になり、ニュートラルライン１０側の漏れ電流がゼロになる。リレー６０は、ノーマルオープンのリレーであるため、メインスイッチ１がオフになるとリレー６０もオフになる。よって、１２Ｖ電源３と２４Ｖ電源４は、それぞれライブライン９とニュートラルライン１０の両方とも遮断され、それぞれライブライン９側の漏れ電流とニュートラルライン１０側の漏れ電流がゼロになる。
【００６０】
図６に示したメインスイッチ１がニュートラルライン１０に設けられ、リレー６０がライブライン９に設けられてもよい。この場合のメインスイッチ１は、第１ニュートラルラインと第２ニュートラルラインとが分岐する第２分岐部４２よりも上流に設けられ、商用電源８からのニュートラルライン１０を遮断するスイッチとして機能する。また、リレー６０は、それぞれライブラインを遮断する上述のリレー５、６を統合した単一の遮断部であり、第１ライブラインと第２ライブラインとの第１分岐部４１よりも上流に配置されたリレーである。
【００６１】
このように実施例３では、実施例１、２よりもさらに部品点数を削減できるため、コストを削減できる。実施例３のその他の効果は実施例１と共通である。
【図１】
2013055790.tif 000003
【図２】
2013055790.tif 000004
【図３】
2013055790.tif 000005
【図４】
2013055790.tif 000006
【図５】
2013055790.tif 000007
【図６】
2013055790.tif 000008
【図７】
2013055790.tif 000009
【図８】
2013055790.tif 000010
【図９】
2013055790.tif 000011
【図１０】
2013055790.tif 000012
【図１１】
2013055790.tif 000013